(57)【要約】【課題】医療機関から、別のタイミングでそれぞれが処方されて、それぞれ別のタイミングで登録した複数の処方箋に対して、結果的に同じ時間帯に服用するものは、とりまとめて患者に通知させること。【解決手段】服用するべき処方薬を含む処方箋を管理する情報処理装置が、異なるタイミングで登録された処方箋毎に、処方薬と当該処方薬を服用する時期とを関連付けた処方箋データを記憶し、処方薬が服用する時期になった旨を通知するべく、該時期に服用するべき処方薬を通知する通知時間を設定し、異なるタイミングで登録された処方箋の中から、服用する時期が同じである処方薬をそれぞれ抽出し、設定した通知時間に従って、抽出した服用する時期が同じである処方薬が、服用する時期になった旨を通知するべく、抽出した服用する時期が同じである処方薬を参照する情報を１つのウインドウ内に収まるように表示する。 【選択図】図９
2017167628.tif 000002
【特許請求の範囲】
【請求項１】
服用するべき処方薬を含む処方箋を管理する情報処理装置であって、
異なるタイミングで登録された処方箋毎に、処方薬と当該処方薬を服用する時期とを関連付けた処方箋データを記憶する記憶手段と、
処方薬が服用する時期になった旨を通知するべく、該時期に服用するべき処方薬を通知する通知時間を設定する設定手段と、
前記異なるタイミングで登録された処方箋の中から、服用する時期が同じである処方薬をそれぞれ抽出する抽出手段と、
前記設定した通知時間に従って、前記抽出した服用する時期が同じである処方薬が、服用する時期になった旨を通知するべく、前記抽出した服用する時期が同じである処方薬を参照する情報を１つのウインドウ内に収まるように表示する表示手段と、
を備えることを特徴とする情報処理装置。
【請求項２】
前記抽出した服用する時期が同じである処方薬の効能を医薬品マスタから取得する効能取得手段と、
前記取得した効能に従って、前記抽出した服用する時期が同じである処方薬の中に、効能が類似または同じである処方薬が含まれているか否か判定する効能判定手段と、
前記効能判定手段により含まれていると判定した効能が類似または同じである処方薬を識別可能に表示する効能表示手段と、
を備えることを特徴とする請求項１に記載の情報処理装置。
【請求項３】
前記取得した効能に従って、前記抽出した服用する時期が同じである処方薬の中で、効能が類似または同じである処方薬を選択する効能選択手段と、
前記効能表示手段は更に、前記効能選択手段により選択した効能が類似または同じである処方薬同士を特定可能に表示することを特徴とする請求項２に記載の情報処理装置。
【請求項４】
服用するべき処方薬を含む処方箋を管理し、異なるタイミングで登録された処方箋毎に、処方薬と当該処方薬を服用する時期とを関連付けた処方箋データを記憶する記憶手段を備える情報処理装置の制御方法であって、
前記情報処理装置の設定手段が、処方薬が服用する時期になった旨を通知するべく、該時期に服用するべき処方薬を通知する通知時間を設定する設定工程と、
前記情報処理装置の抽出手段が、前記異なるタイミングで登録された処方箋の中から、服用する時期が同じである処方薬をそれぞれ抽出する抽出工程と、
前記情報処理装置の表示手段が、前記設定した通知時間に従って、前記抽出した服用する時期が同じである処方薬が、服用する時期になった旨を通知するべく、前記抽出した服用する時期が同じである処方薬を参照する情報を１つのウインドウ内に収まるように表示する表示工程と、
を含むことを特徴とする制御方法。
【請求項５】
服用するべき処方薬を含む処方箋を管理する情報処理装置で読み取り実行可能なプログラムであって、
前記情報処理装置を、
異なるタイミングで登録された処方箋毎に、処方薬と当該処方薬を服用する時期とを関連付けた処方箋データを記憶する記憶手段と、
処方薬が服用する時期になった旨を通知するべく、該時期に服用するべき処方薬を通知する通知時間を設定する設定手段と、
前記異なるタイミングで登録された処方箋の中から、服用する時期が同じである処方薬をそれぞれ抽出する抽出手段と、
前記設定した通知時間に従って、前記抽出した服用する時期が同じである処方薬が、服用する時期になった旨を通知するべく、前記抽出した服用する時期が同じである処方薬を参照する情報を１つのウインドウ内に収まるように表示する表示手段と、
して機能させることを特徴とするプログラム。
【発明の詳細な説明】
【技術分野】
【０００１】
本発明は、お薬手帳に関する情報処理装置、その制御方法とプログラムの技術。
【背景技術】
【０００２】
従来、医療機関や医療機関から処方された薬を取り扱う薬局などでは、お薬手帳が用いられている。お薬手帳は薬の処方日、用法、用量等が記載されたラベルを紙媒体の手帳に貼り、患者自身で所有・管理するものである。このお薬手帳により、医療関係者は患者の薬の服用履歴や既往症、アレルギーなどの必要な情報を確認し、薬の重複投与や副作用などのリスクを軽減することが期待されている。
【０００３】
しかし、一般的にお薬手帳は常時携帯していないため、医療機関への受診時など必要な時に持ち合わせていない可能性が高く、お薬手帳本来の役割を適切に果たせていないという問題があった。
そのため、近年では個人携帯端末を用いた電子お薬手帳が普及し始めており、様々な機能が提供されている。
【０００４】
特許文献１には、服用スケジュールと現在の日時情報とを照合して服用時間帯であるか否かを判別し、服用時間帯であれば、服用する薬毎にその種類と用量を画像によって通知するプログラムが記載されている。
【先行技術文献】
【特許文献】
【０００５】
【特許文献１】特開２０１５−１１８４４４号公報
【発明の概要】
【発明が解決しようとする課題】
【０００６】
特許文献１のプログラムでは、薬単位で服用のアラーム通知が行われる。しかしながら、複数の薬が処方されており、かつそれらの薬を同じ時間に服用する必要がある場合、服用する薬の個数分のアラームが患者に通知されてしまい、患者がアラームを解除するのに手間を要してしまい、また、様々な薬が流通しているため、患者は薬名と効能を把握できていない可能性が高い。複数の医療機関を受診し、複数の薬が処方されていた場合、薬単位で服用を通知すると、薬の相互作用や重複投与を意識せずに、患者が全ての薬を服用してしまう恐れがある。
【０００７】
本発明は、医療機関から、別のタイミングでそれぞれが処方されて、それぞれ別のタイミングで登録した複数の処方箋に対して、結果的に同じ時間帯に服用するものは、とりまとめて患者に通知させる仕組みを提供することを目的とする。
【課題を解決するための手段】
【０００８】
本発明は、服用するべき処方薬を含む処方箋を管理する情報処理装置であって、異なるタイミングで登録された処方箋毎に、処方薬と当該処方薬を服用する時期とを関連付けた処方箋データを記憶する記憶手段と、処方薬が服用する時期になった旨を通知するべく、該時期に服用するべき処方薬を通知する通知時間を設定する設定手段と、前記異なるタイミングで登録された処方箋の中から、服用する時期が同じである処方薬をそれぞれ抽出する抽出手段と、前記設定した通知時間に従って、前記抽出した服用する時期が同じである処方薬が、服用する時期になった旨を通知するべく、前記抽出した服用する時期が同じである処方薬を参照する情報を１つのウインドウ内に収まるように表示する表示手段と、を備えることを特徴とする。
【０００９】
本発明は、服用するべき処方薬を含む処方箋を管理し、異なるタイミングで登録された処方箋毎に、処方薬と当該処方薬を服用する時期とを関連付けた処方箋データを記憶する記憶手段を備える情報処理装置の制御方法であって、前記情報処理装置の設定手段が、処方薬が服用する時期になった旨を通知するべく、該時期に服用するべき処方薬を通知する通知時間を設定する設定工程と、前記情報処理装置の抽出手段が、前記異なるタイミングで登録された処方箋の中から、服用する時期が同じである処方薬をそれぞれ抽出する抽出工程と、前記情報処理装置の表示手段が、前記設定した通知時間に従って、前記抽出した服用する時期が同じである処方薬が、服用する時期になった旨を通知するべく、前記抽出した服用する時期が同じである処方薬を参照する情報を１つのウインドウ内に収まるように表示する表示工程と、を含むことを特徴とする。
【００１０】
本発明は、服用するべき処方薬を含む処方箋を管理する情報処理装置で読み取り実行可能なプログラムであって、前記情報処理装置を、異なるタイミングで登録された処方箋毎に、処方薬と当該処方薬を服用する時期とを関連付けた処方箋データを記憶する記憶手段と、処方薬が服用する時期になった旨を通知するべく、該時期に服用するべき処方薬を通知する通知時間を設定する設定手段と、前記異なるタイミングで登録された処方箋の中から、服用する時期が同じである処方薬をそれぞれ抽出する抽出手段と、前記設定した通知時間に従って、前記抽出した服用する時期が同じである処方薬が、服用する時期になった旨を通知するべく、前記抽出した服用する時期が同じである処方薬を参照する情報を１つのウインドウ内に収まるように表示する表示手段と、して機能させることを特徴とする。
【発明の効果】
【００１１】
本発明により、医療機関から、別のタイミングでそれぞれが処方されて、それぞれ別のタイミングで登録した複数の処方箋に対して、結果的に同じ時間帯に服用するものは、とりまとめて患者に通知させる仕組みを提供することが可能となる。
【図面の簡単な説明】
【００１２】
【図１】本発明の電子お薬手帳におけるシステムの構成の一例を示すシステム構成図である。
【図２】本発明の電子お薬手帳におけるハードウェア構成を示すブロック図である。
【図３】本発明の電子お薬手帳における機能ブロック図である。
【図４】本発明の電子お薬手帳における服用基準時間設定画面の登録処理の一例を示すフローチャートである。
【図５】本発明の電子お薬手帳における服用アラーム通知処理の一例を示すフローチャートである。
【図６】本発明の電子お薬手帳における服用完了登録画面の初期表示処理の一例を示すフローチャートである。
【図７】本発明の電子お薬手帳における服用完了登録画面の登録処理の一例を示すフローチャートである。
【図８】本発明の電子お薬手帳における服用基準時間設定画面の図である。
【図９】本発明の電子お薬手帳における服用アラームまとめ通知画面の図である。
【図１０】本発明の電子お薬手帳における服用完了登録画面で注意事項（重複投与）が存在しない場合に表示されるパターンの一例を示す図である。
【図１１】本発明の電子お薬手帳における服用完了登録画面で注意事項（重複投与）が存在する場合に表示されるパターンの一例を示す図である。
【図１２】本発明の電子お薬手帳における服用時の注意事項確認画面の図である。
【図１３】本発明の電子お薬手帳における処方箋照会画面の図である。
【図１４】服用基準時間マスタのデータテーブルの一例を示すデータ構成図である。
【図１５】服用イベントのデータテーブルの一例を示すデータ構成図である。
【図１６】処方箋情報のデータテーブルの一例を示すデータ構成図である。
【図１７】処方薬情報のデータテーブルの一例を示すデータ構成図である。
【図１８】服用タイミング情報のデータテーブルの一例を示すデータ構成図である。
【図１９】医薬品マスタのデータテーブルの一例を示すデータ構成図である。る。
【発明を実施するための形態】
【００１３】
以下、図面を参照して、本発明の実施形態を詳細に説明する。
図１は、管理サーバ１０２、クライアント端末１０１（たとえばスマートフォン）がインターネット１０６を介して通信可能に接続される構成となっている。
クライアント端末１０１は服用するべき処方薬を含む処方箋を管理する情報処理装置である。
図２を説明する。
【００１４】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００１５】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００１６】
また、２０５は入力コントローラで、キーボード（ＫＢ）２０９や不図示のマウス等のポインティングデバイス等からの入力を制御する。２０６はビデオコントローラで、ＣＲＴディスプレイ（ＣＲＴ）２１０等の表示器への表示を制御する。なお、図２では、ＣＲＴ２１０と記載しているが、表示器はＣＲＴだけでなく、液晶ディスプレイ等の他の表示器であってもよい。これらは必要に応じて管理者が使用するものである。
【００１７】
２０７はメモリコントローラで、ブートプログラム，各種のアプリケーション，フォントデータ，ユーザファイル，編集ファイル，各種データ等を記憶する外部記憶装置（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００１８】
２０８は通信Ｉ／Ｆコントローラで、ネットワーク（例えば、図１に示したＬＡＮ１０５）を介して外部機器と接続・通信するものであり、ネットワークでの通信制御処理を実行する。例えば、ＴＣＰ／ＩＰを用いた通信等が可能である。
【００１９】
なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００２０】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル及び各種情報テーブル等も、外部メモリ２１１に格納されており、これらについての詳細な説明も後述する。
なお、上述した各種データの構成及びその内容はこれに限定されるものではなく、用途や目的に応じて、様々な構成や内容で構成されることは言うまでもない。
また、本発明におけるプログラムは、図４〜図７の処理をコンピュータに実行させるプログラムである。
【００２１】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成されることは言うまでもない。
【００２２】
この場合、記録媒体から読み出されたプログラム自体が本発明の新規な機能を実現することになり、そのプログラムを記録した記録媒体は本発明を構成することになる。
【００２３】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることが出来る。
【００２４】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００２５】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００２６】
また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００２７】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
図４を説明する。
図４は、本発明の電子お薬手帳における服用基準時間設定画面の登録処理の一例を示すフローチャートである。
ユーザが携帯端末より（不図示）の電子お薬手帳の管理メニューから、服用基準時間設定にアクセスすると、服用基準時間設定画面（図８）が表示される。
【００２８】
服用基準時間設定画面（図８）では、処方薬が服用する時期になった旨を通知するべく、該時期に服用するべき処方薬を通知する通知時間を設定することができる（設定手段）。
【００２９】
図８において、ユーザが起床時間８０１、朝食時間８０２、昼食時間８０３、夕食時間８０４、就寝時間８０５を入力し、登録ボタン８０６を押下する操作から処理が開始される。
【００３０】
ステップＳ４０１でクライアント端末１０１は、服用基準時間設定画面（図８）でユーザが入力した起床時間８０１、朝食時間８０２、昼食時間８０３、夕食時間８０４、就寝時間８０５に、服用基準時間マスタ１４００の各服用イベント（通知時間）を更新する。
ステップＳ４０２でクライアント端末１０１は、各服用タイミング（服用する時期）の値が“起床”または“就寝”であるか否かの判定を行う。
ステップＳ４０３では、ユーザが入力した起床時間８０１、就寝時間８０５に、服用イベント１５００の各服用イベント（通知時間）を更新する。
ステップＳ４０４でクライアント端末１０１は、各服用タイミング（服用する時期）の値が“食前”であるか否かの判定を行う。
【００３１】
ステップＳ４０５では、ユーザが入力した朝食時間８０２、昼食時間８０３、夕食時間８０４からそれぞれ、３０分減算した値で、服用イベント１５００の各服用イベント（通知時間）を更新する。
ステップＳ４０６でクライアント端末１０１は、各服用タイミング（服用する時期）の値が“食間”であるか否かの判定を行う。
【００３２】
ステップＳ４０７では、ユーザが入力した朝食時間８０２、昼食時間８０３、夕食時間８０４からそれぞれ、１２０分加算した値で、服用イベント１５００の各服用イベント（通知時間）を更新する。
ステップＳ４０８でクライアント端末１０１は、各服用タイミング（服用する時期）の値が“食後”であるか否かの判定を行う。
【００３３】
ステップＳ４０９では、ユーザが入力した朝食時間８０２、昼食時間８０３、夕食時間８０４からそれぞれ、３０分加算した値で、服用イベント１５００の各服用イベント（通知時間）を更新する。更新処理が終了したら再度服用基準時間設定画面（図８）を表示する。（ステップＳ４１０）
図５を説明する。
図５は、本発明の電子お薬手帳における服用アラームまとめ通知処理の一例を示すフローチャートである。
現在の時間が服用イベントのデータテーブルの各服用イベント（通知時間）に達したタイミングで処理が自動で開始される。
【００３４】
ステップＳ５０１でクライアント端末１０１は、服用イベントのデータテーブル１５００の各服用イベント（通知時間）と服用薬情報のデータテーブル１７００に紐付く各服用イベント（通知時間）とが一致するか否かの判定を行う。一致しない場合はユーザに服用アラームを通知する必要がないとみなし、ただちに処理を終了する。
【００３５】
ステップＳ５０２でクライアント端末１０１は、ステップＳ５０１の条件である服用イベントのデータテーブル１５００の各服用イベント（通知時間）と服用薬情報のデータテーブル１７００に紐付く各服用イベント（通知時間）とが一致する処方薬情報を一覧で抽出する。
【００３６】
さらに、服用薬情報のデータテーブル１７００を参照し、異なるタイミングで登録された処方箋の中から、服用する時期が同じである処方薬をそれぞれ抽出する（抽出手段）。
【００３７】
たとえば、図１７を例に説明すると、Ｂ０００１とＢ０００２では処方箋ＩＤは異なるが、服用する時期（服用タイミング及び次回服用可能日時）が同じである処方薬が、４種類抽出できたのでこの４種類を、図９のようにまとめて通知する。
ステップＳ５０３でクライアント端末１０１は、服用アラームまとめ通知対象となる処方薬情報を格納するための一覧の空配列を用意する。
ステップＳ５０４でクライアント端末１０１は、ステップＳ５０２で抽出した処方薬情報一覧の件数分、処方薬毎に、ステップＳ５０５以降の処理を実施する。
【００３８】
ステップＳ５０５でクライアント端末１０１は、服用薬情報のデータテーブル１７００の処方薬毎の「服用完了回数」、「服用総回数」を参照して、「服用完了回数」が「服用総回数」に達しているか否かの判定を行う。「服用完了回数」が「服用総回数」に達していると判定した場合は、服用が全て完了しているとみなし、服用アラームの通知対象外として一覧から除外する。
【００３９】
ステップＳ５０６でクライアント端末１０１は、現在の日時が、服用薬情報のデータテーブル１７００の処方薬毎「次回服用可能日時」に到達したか否かの判定を行う。
【００４０】
現在の日時がまだ「次回服用可能日時」に達していない場合は、処方箋情報で管理する「最終服用日時」から「服用間隔」で定められた時間が経過していないとみなし、服用アラームの通知対象外として一覧から除外する。
【００４１】
ステップＳ５０７では、医薬品マスタ（図１９）を用いて服用アラーム通知対象処方薬情報一覧に重複投与（効能が類似または同じである）となる薬が存在するか否かの判定を行う。
【００４２】
服用アラームの通知対象となっている処方薬に該当する医薬品情報と、現在処理対象の処方薬に該当する医薬品情報を医薬品マスタ（図１９）から取得する。「薬効分類」または「薬品成分名」が一致する（効能が類似または同じである）薬が存在する場合、重複投与とみなし、図９の服用アラームの通知対象外として一覧から除外する。
このように、重複投与があると判断された場合には、服薬完了登録画面：注意事項あり（図１１）にてかかりつけ薬局への確認を促す。
クライアント端末１０１は、ステップＳ５０２で抽出した服用する時期が同じである処方薬の効能を医薬品マスタ（図１９）から取得する（効能取得手段）。
【００４３】
クライアント端末１０１は、取得した効能に従って、抽出した服用する時期が同じである処方薬の中に、効能が類似または同じである処方薬が含まれているか否か判定する（効能判定手段）。
【００４４】
クライアント端末１０１は、効能判定手段により含まれていると判定した場合には、効能が類似または同じである処方薬を識別可能に、服薬完了登録画面（図１１）：注意事項ありを表示する（効能表示手段）。
クライアント端末１０１は、効能判定手段により含まれていないと判定した場合には、服薬完了登録画面（図１０）：正常時を表示する（表示手段）。
【００４５】
更にクライアント端末１０１は、効能判定手段により含まれていると判定した場合には、取得した効能に従って、抽出した服用する時期が同じである処方薬の中で、効能が類似または同じである処方薬を選択する（効能選択手段）。
【００４６】
クライアント端末１０１の効能表示手段は更に、効能選択手段により選択した効能が類似または同じである処方薬同士を特定可能に服用時の注意事項確認画面（図１２）を表示する。
【００４７】
ステップＳ５０８では、ステップＳ５０５〜ステップＳ５０７の判定を全て通過した処方薬情報をステップＳ５０３で用意した服用アラーム通知対象処方薬情報一覧に格納する。
【００４８】
服用アラーム通知対象処方薬情報一覧のデータ有無をステップＳ５０９で判定し、データが存在する場合は携帯端末のディスプレイに服用アラームまとめ通知画面（図９）を表示する。（ステップＳ５１０）
【００４９】
アラームまとめ通知画面（図９）では、図８の服用基準時間設定画面で設定した通知時間に従って、抽出した服用する時期が同じである処方薬が、服用する時期になった旨を通知するべく、抽出した服用する時期が同じである処方薬を参照する情報を１つのウインドウ内に収まるように表示している（表示手段）。
その後、図９のＯＫボタン９０１を押下すると、服用アラームまとめ通知画面（図９）は閉じられる。
図９の詳細ボタン９０２を押下すると、服用完了登録画面（図１０）：正常時または服用完了登録画面：注意事項あり（図１１）が表示される。
図６を説明する。
図６は、本発明の電子お薬手帳における服用完了登録画面の初期表示処理の一例を示すフローチャートである。
アラームまとめ通知画面（図９）を表示後に、ユーザが詳細ボタン９０２を押下する操作から処理が開始される。
【００５０】
ステップＳ６０１でクライアント端末１０１は、服用イベントのデータテーブル１５００の各服用イベント（通知時間）と服用薬情報のデータテーブル１７００に紐付く各服用イベント（通知時間）とが一致するか否かの判定を行う。
【００５１】
ステップＳ６０２でクライアント端末１０１は、服用薬情報のデータテーブル１７００の処方薬毎の「服用完了回数」、「服用総回数」を参照して、「服用完了回数」が「服用総回数」に達しているか否かの判定を行う。
【００５２】
ステップＳ６０３でクライアント端末１０１は、ステップＳ５０１の条件である服用イベントのデータテーブル１５００の各服用イベント（通知時間）と服用薬情報のデータテーブル１７００に紐付く各服用イベント（通知時間）とが一致する処方薬情報を一覧で抽出する。ステップＳ６０１およびステップＳ６０２の条件に該当する処方薬情報が存在しない場合、ユーザに服用完了登録情報を表示する必要がないとみなし、ただちに処理を終了する。
ステップＳ６０４では、服用時にユーザに注意事項する必要がある処方薬情報を格納するためのマップを用意する。
ステップＳ６０５でクライアント端末１０１は、対象となる処方薬情報を格納するための一覧の空配列を用意する。
ステップＳ６０６では、ステップＳ６０３で抽出した処方薬情報一覧の件数分、ステップＳ６０７以降の処理を実施する。
ステップＳ６０７では、注意事項の詳細情報を格納するためのマップを用意する。
ステップＳ６０８では、現在の日時が処方薬情報の「次回服用可能日時」未満であるか否かの判定を行う。
【００５３】
現在の日時が「次回服用可能日時」に達していない場合は、処方箋情報で管理する「最終服用日時」から「服用間隔」分の時間が経過していないとみなし、注意事項対象として注意事項詳細マップに格納する。（ステップＳ６０９）
ステップＳ６１０では、医薬品マスタ（図１９）を用いて服用可能処方薬一覧に重複投与となる薬が既に存在するか否かの判定を行う。
【００５４】
服用可能な処方薬に該当する医薬品情報と、現在処理対象の処方薬に該当する医薬品情報を医薬品マスタ（図１９）から取得する。「薬効分類」または「薬品成分名」が一致する場合、重複投与とみなし、服用時の注意事項確認画面（図１２）にてかかりつけ薬局への確認を促すために、注意事項対象として注意事項詳細マップに格納する。（ステップＳ６１１）
ステップＳ６１２では、医薬品マスタ（図１９）を用いて服用可能処方薬一覧に相互作用となる薬が既に存在するか否かの判定を行う。
【００５５】
服用可能な処方薬に該当する医薬品情報と、現在処理対象の処方薬に該当する医薬品情報を医薬品マスタから取得する。現在処理対象の処方薬に該当する医薬品情報の「薬品成分名」が服用可能な処方薬に該当する医薬品情報の「相互作用薬品成分名」と一致する場合、相互作用とみなし、服用時の注意事項確認画面（図１２）にてかかりつけ薬局への確認を促すために、注意事項対象として注意事項詳細マップに格納する。（ステップＳ６１３）
ステップＳ６１４では、注意事項詳細マップに処方薬情報が格納済みか否かの判定を行う。
格納されていない場合は、服用可能な処方薬とみなし、服用可能処方薬一覧に処方薬情報を格納する。（ステップＳ６１５）
ステップＳ６１６では、ステップＳ６０５で用意した処方薬注意事項マップに注意事項詳細マップを格納する。
ステップＳ６１７では、ステップＳ６０３で抽出した処方薬一覧を服用完了登録画面（図１０）に表示する。
図１０の処方箋照会リンク１００３を押下すると、処方箋照会画面（図１３）を表示する。
【００５６】
ユーザがかかりつけ薬局への確認を見落とさないようにするために、処方薬注意事項マップに処方薬情報が存在する場合、服用完了登録画面（図１１）の完了チェックボックス１１０１を非活性に制御し、注意事項ボタン１１０２と注意事項確認チェックボックス１１０３を表示する。（ステップＳ６１９、ステップＳ６２０）
注意事項確認チェックボックス１１０３にチェックを入れると、完了チェックボックス１１０１を活性に制御する。
図１１の注意事項ボタン１１０１を押下すると、服用時の注意事項確認画面（図１２）を表示する。
図１２ではステップＳ６０８〜ステップＳ６１３で格納した注意事項詳細マップの情報を確認することができる。
図１２の閉じるボタン１２０１を押下すると、服用時の注意事項確認画面（図１２）を閉じる。
図７を説明する。
図７は、本発明の電子お薬手帳における服用完了登録画面の登録処理の一例を示すフローチャートである。
図１０において、ユーザが完了チェックボックス１００１にチェックを入れ、登録ボタン１００２を押下する操作から処理が開始される。
ステップＳ７０１では、服用完了登録画面（図１０）に表示されている処方薬情報一覧の件数分、ステップＳ７０２以降の処理を実施する。
ステップＳ７０２では、完了チェックボックス１００１にチェックが入っているか否かの判定を行う。
完了チェックボックス１００１にチェックが入っていない場合、服用完了登録対象外とみなし、次の処方薬に処理を移る。
ステップＳ７０３では、処方薬情報のデータを更新する。
【００５７】
「最終服用日時」には現在日時、「次回服用可能日時」には現在日時に「服用間隔」の値を加算した値、「服用完了回数」には現在の服用完了回数に１を加算した値を設定し、更新する。更新処理が終了したら、再度服用完了登録画面を表示する。（ステップＳ７０４）
図１４を説明する。
図１４は、服用基準時間マスタのデータテーブルの一例を示すデータ構成図である。
服用基準時間マスタには、ユーザＩＤ毎に、服用タイミング（服用する時期）、服用イベント（通知時間）が関連づけて構成される。
図４のフローチャートのＳ４０１において、図８で示す服用基準時間設定画面でユーザにより手入力された値が登録される。
図１５を説明する。
図１５は、服用イベントのデータテーブルの一例を示すデータ構成図である。
服用イベントのデータテーブルには、ユーザＩＤ毎に、服用タイミング（服用する時期）、服用イベント（通知時間）が関連づけて構成される。
【００５８】
図４のフローチャートのＳ４０３、ステップＳ４０５、ステップＳ４０７、ステップＳ４０９において、図８で示す服用基準設定画面でユーザにより入力された値を基に、“起床”、“就寝”、“食前”、“食間”、“食後”の服用タイミングに従って必要な値を加減算した値が自動登録される。
図１６を説明する。
図１６は、処方箋情報のデータテーブルの一例を示すデータ構成図である。
【００５９】
処方箋情報には処方箋ＩＤ毎に、ユーザＩＤ、処方日、医療機関名、医師名、調剤日、薬局名が関連づけて構成される。各医療機関より異なるタイミングで処方された処方箋の電子情報はＱＲコード（登録商標）等を用いて携帯端末等で読み取り、処方箋毎に登録することができる。
クライアント端末１０１は、処方薬情報のデータテーブルを記憶している（記憶手段）。
図１７を説明する。
図１７は、処方薬情報のデータテーブルの一例を示すデータ構成図である。
【００６０】
処方薬情報には処方箋ＩＤ毎に、処方薬番号（処方薬）、薬名（処方薬）、服用日数、服用総回数、服用間隔、服用タイミング（服用する時期）、服用量、最終服用イベント（通知時間）、次回服用可能日時、服用完了回数が関連づけて構成される。各医療機関より異なるタイミングで処方された処方箋の電子情報はＱＲコード（登録商標）等を用いて携帯端末等で読み取り、処方箋毎に登録することができる。
クライアント端末１０１は、処方薬情報のデータテーブルを記憶している（記憶手段）。
図１８を説明する。
図１８は、服用タイミング情報のデータテーブルの一例を示すデータ構成図である。
【００６１】
服用タイミング情報には処方箋ＩＤ毎に、処方薬番号（処方薬）、服用タイミング番号、服用タイミング（服用する時期）が関連づけて構成されている。各医療機関より異なるタイミングで処方された処方箋の電子情報はＱＲコード（登録商標）等を用いて携帯端末等で読み取り、処方箋毎に登録することができる。
クライアント端末１０１は、服用タイミング情報のデータテーブルを記憶している（記憶手段）。
図１９を説明する。
図１９は、医薬品マスタのデータテーブルの一例を示すデータ構成図である。
医薬品マスタは医薬品名、一般名、薬効分類、薬品成分名、相互作用レベル、相互作用薬品成分名、相互作用理由、その他の項目から構成される。
【符号の説明】
【００６２】
１０１    クライアント端末
１０２    管理サーバ
１０６    インターネット
【図１】
2017167628.tif 000003
【図２】
2017167628.tif 000004
【図３】
2017167628.tif 000005
【図４】
2017167628.tif 000006
【図５】
2017167628.tif 000007
【図６】
2017167628.tif 000008
【図７】
2017167628.tif 000009
【図８】
2017167628.tif 000010
【図９】
2017167628.tif 000011
【図１０】
2017167628.tif 000012
【図１１】
2017167628.tif 000013
【図１２】
2017167628.tif 000014
【図１３】
2017167628.tif 000015
【図１４】
2017167628.tif 000016
【図１５】
2017167628.tif 000017
【図１６】
2017167628.tif 000018
【図１７】
2017167628.tif 000019
【図１８】
2017167628.tif 000020
【図１９】
2017167628.tif 000021